(57)【要約】【課題】本発明が解決しようとする課題は、単純な構成で様々なバリエーションへの展開可能な判読不能なパターンを有する感圧転写テープを提供するものである。【解決手段】本発明は、基材上に転写塗膜を形成した感圧転写テープにおいて、転写塗膜は少なくとも、パターンからなる印刷層を有しており、そのパターンは、正方形を含む長方形からなる単位画像とその反転画像とから構成され、周期的に繰り返していることを特徴とするパターン付き感圧転写テープである。【選択図】図５
2012135995.tif 000002
【特許請求の範囲】
【請求項１】
基材上に転写塗膜を形成した感圧転写テープにおいて、転写塗膜は少なくとも、パターンからなる印刷層を有しており、そのパターンは、正方形を含む長方形からなる単位画像とその反転画像とから構成され、周期的に繰り返していることを特徴とするパターン付き感圧転写テープ。
【発明の詳細な説明】
【技術分野】
【０００１】
本発明は、塗膜転写具に装填して被転写体の文字上に転写塗膜を感圧転写することができる感圧転写テープに関するものであり、特に、転写塗膜にある印刷層のパターンにより文字からなる言葉を判読不能にする感圧転写テープに関するものである。
【背景技術】
【０００２】
従来より、誤字を修正するために転写塗膜に白色の隠蔽層を有する感圧転写テープが開発されており、その感圧転写テープを搭載した塗膜転写具が、例えば修正テープという商品名で販売されている。これは、隠蔽層で誤字である文字を隠蔽して見えなくするものである。
【０００３】
その機能を利用して、個人情報流出の懸念から、文字からなる名前や住所などの個人情報をこれを用いて隠蔽してから捨てる方法が取られることがある。しかし開発当初から、隠蔽した文字のある被転写体の表面から光に照らして反対の裏面から見ると、隠蔽した文字が見えてしまうということがあった。
【０００４】
特開平６−０９２０８５号公報では、修正面の反対側からみても元の文字などが判読不能な隠蔽修正用転写テープを提供することを目的として、転写塗膜の粘着層を着色するものが開発されている。この方法であると、反対の裏面から見ても隠蔽できるほどの着色剤を粘着層に添加すると、粘着力が弱くなり、被転写体への感圧転写がうまくいかなかった。部分的に転写ができないことや転写した塗膜が浮くことのような転写の不具合である転写不良が生じることがあった。
【０００５】
特開平１０−３０９８９３号公報では、裏側に対する隠蔽性がより高く、修正前の文字が紙の裏から透けて見えることのない修正用転写テープが開発されている。これは、修正テープの隠蔽層に相当する表面向き隠蔽層と、それに加えて裏面向き隠蔽層を形成するものである。裏面向き隠蔽層は黒色等の濃色であり、転写した塗膜の側面や切断箇所で裏面向き隠蔽層が露出して、隠蔽した部分が目立つことになった。また、裏面向き隠蔽層の濃色によっては、白色の隠蔽層による修正部分が灰色に見えることもあった。
【０００６】
特開平１１−３４３４６７号公報では、修正部分が灰色に見えたり、切断箇所で黒色が目立ったりしないものが開発されている。これは、裏面向き隠蔽層の厚さを場所によって不均一にしたり、裏面向き隠蔽層が縞状、網目状、又は散点状に設けたりしたものである。
【０００７】
これらを踏まえ、パターンからなる印刷層を形成して、そのパターンによって判読不能にするものが開発されている。特開２０１０−０１２６７１号公報は、言葉を判読不能にする隠蔽用のパターン形状が、複数のアルファベットが転写テープの長手方向に対して斜めに配列されていることを特徴とするものである。特開２０１０−０１２７３４号公報は、印刷層のパターンが、パターンの面積率が４０％以上であり、判読不能にする文字の高さがテープ幅方向のパターン幅の２０％以上１００％以下であることを特徴とするものである。
【先行技術文献】
【特許文献】
【０００８】
【特許文献１】特開平６−０９２０８５号公報
【特許文献２】特開平１０−３０９８９３号公報
【特許文献３】特開平１１−３４３４６７号公報
【特許文献４】特開２０１０−０１２６７１号公報
【特許文献５】特開２０１０−０１２７３４号公報
【発明の概要】
【発明が解決しようとする課題】
【０００９】
しかしながら、これまでの判読不能なパターンは、そのパターンを見つけるのに、様々な試行錯誤を繰り返さなければならなかった。どちらかといえば、発見に近いものであり、一般に利用できるような規則性を見出せなかった。本発明が解決しようとする課題は、単純な構成で様々なバリエーションへの展開可能な判読不能なパターンを有する感圧転写テープを提供するものである。
【課題を解決するための手段】
【００１０】
本発明は、基材上に転写塗膜を形成した感圧転写テープにおいて、転写塗膜は少なくとも、パターンからなる印刷層を有しており、そのパターンは、正方形を含む長方形からなる単位画像とその反転画像とから構成され、周期的に繰り返していることを特徴とするパターン付き感圧転写テープである。
【発明の効果】
【００１１】
本発明は、このような単純な構成で様々なバリエーションへの展開可能なパターンによって判読不能することができることを見出したものである。これにより、様々なバリエーションのパターンを作成することが容易になり、それらのパターンからなる商品を数多く世の中に出すことができるようになる。
【図面の簡単な説明】
【００１２】
【図１】修正テープに用いた本発明の断面図。
【図２】印刷層の印刷部分を拡大した模式図。
【図３】塗膜転写具の説明図。
【図４】単位画像とその反転画像の説明図。
【図５】実施例１から４までのパターンの説明図。
【図６】境界線を有した場合の説明図。
【図７】実施例５から８までのパターンの説明図。
【発明を実施するための形態】
【００１３】
感圧転写テープは、基材上に転写塗膜を形成したものである。転写塗膜には、いくつかの種類がある。代表的なものとして、修正塗膜、粘着塗膜、パターン（柄）塗膜がある。商品としてはそれぞれ、修正テープ、テープのり、テープマーカーという名で販売されている。ここでは、修正テープ用の修正塗膜を例にして説明する。
【００１４】
図１は、修正テープに用いた本発明のパターン付き感圧転写テープ１の断面図である。基材２上に転写塗膜である修正塗膜３を形成している。修正塗膜３は、基材２から順に、隠蔽層４、印刷層５、粘着層６からなる。この転写塗膜の部分が、粘着塗膜やパターン（柄）塗膜では異なる。
【００１５】
印刷層５は、印刷によって形成された印刷部分７と、印刷のない部分８からなる。これらによって、隠蔽層４上の印刷層５を粘着層６の面から見ればパターンとなる。印刷のない部分８には、その後に形成される粘着層６の液状の粘着層インキが入り込むので、粘着層６が直接隠蔽層４に接することになる。
【００１６】
図１では縦方向を拡大して表している。実際のサイズとしては、例えば次のような寸法で形成する。縦方向の厚さとして、基材２が１２μｍ、隠蔽層４が２０μｍ、印刷層５の印刷部分７が約１μｍ、粘着層６が印刷層５の印刷部分７を含めて約３μｍである。隠蔽層４、印刷層５、粘着層６が形成されている修正塗膜３は２３μｍとなる。横方向として、この断面図では一定のテープ幅に裁断した両端があるものを表しており、５ｍｍ（テープ幅が５ｍｍ）である。なお、実施例でもこの寸法で形成している。
【００１７】
基材２は、ポリエチレンテレフタレ−ト（ＰＥＴ）、ポリエチレンナフタート、ポリプロピレン、ポリカーボネート、ポリスチレン、ポリアミド、ポリアミドイミド、ポリエチレン、ポリ塩化ビニル等のプラスチックフィルムや、グラシン紙や、人造樹脂フィルム、洋紙和紙等のフィルム状物、あるいはこれらの複合フィルム状物等を用いることができる。
【００１８】
基材２の厚さは、３〜１００μｍ程度が良い。基材２の厚さが大きいと、転写する時の転写圧が低下して転写不良が生じることがあり、逆に基材２の厚さが小さいと、テープの強度が弱くなり、テープの断裂などのトラブルを生じることがある。
【００１９】
基材２の両面において、剥離処理されていることが好ましい。剥離処理は、シリコン樹脂、フッ素樹脂、その他剥離性を有する樹脂やオイルなどを主成分として、必要に応じて、剥離性を有しない合成樹脂や微粒子、添加剤などを混合したものでグラビアコーティングやダイコーティングなどの方法により施される。図１では、剥離処理した層は省略している。
【００２０】
隠蔽層４は、液状の隠蔽層インキを作製し、一般的なコーターなどを用いて基材２上に塗布乾燥させて形成する。液状の隠蔽層インキは、顔料とビヒクルと、必要に応じて分散剤や添加剤を、有機溶剤中にて分散機や攪拌機等を用いて均一に混合して作製される。
【００２１】
形成された隠蔽層４中の顔料比率が７５重量％より少ないと、水性インキなどの筆記具で隠蔽層４上に筆記した時に、筆記具インキが染み込み定着するまでに時間がかかってしまい、にじみやハジキが生じてしまう。また、隠蔽したはずの文字が透けて見えたり、感圧転写後の修正塗膜の表面に光沢が出てしまったりすることもある。逆に顔料比率が９０重量％より多いと、感圧転写した時にひび割れが発生する原因となったり、感圧転写後の修正塗膜を手で触ると白く汚れるチョーキング現象が発生する原因となったりする。ゆえに、隠蔽層４中の顔料比率は、７５重量％以上９０重量％以下が好ましい。
【００２２】
隠蔽層４の顔料は、白色顔料か着色顔料もしくはそれらを組み合わせたものと、充填剤からなる。白色顔料としては、酸化チタンが一般的に用いられる。着色顔料としては、有機顔料や無機顔料がある。有機顔料では、アゾレーキレッド、キナクドリンレッド、ファストエロー、スレンエロー、フタロシアニングリーン、フタロシアニンブルー、ジオキサジンバイオレットなどがあり、無機顔料では、弁柄、クロムバーミリオン、黄鉛、オキサイドエロー、酸化クロムグリーン、紺青、群青などがある。これらを単体、もしくは混合して用いることができる。充填剤としては、炭酸マグネシウム、炭酸カルシウム、シリカ、タルク、カオリン、珪藻土などの体質顔料が用いられている。また、顔料と混合するビヒクルとしては、ウレタン系、アクリル系、ビニル系、オレフィン系、ゴム系などの樹脂を単体、もしくは数種を混合して用いることができる。
【００２３】
印刷層５は、隠蔽層４上に点を印刷する方法を用いて形成される。図１における印刷層５の印刷部分７は、その印刷された点の集まりである。印刷層５は、これら印刷部分７と印刷のない部分８（粘着層６）からなる。点を印刷する方法は、点を形成することができれば、どのような印刷方法でもよい。具体的には、グラビア印刷、スクリーン印刷、インクジェット印刷などが挙げられる。
【００２４】
図２は、透明ＰＥＴのような透明被転写体に感圧転写した修正塗膜３を、透明被転写体を通して見た場合の印刷層５の印刷部分７を拡大して模式的に表わしたものである。印刷部分７は、印刷された点９と点印刷のない空隙１０から形成されている。空隙１０には、液状の粘着層インキが入り込んで粘着層６となっている。
【００２５】
図２では、点９を円形で表わしており、円の直径０．３ｍｍを想定しているが、印刷方法や条件などにより、円形以外の形状（菱形やその他の多角形）にもなる。図２では、円形の点９が整然と並んだ場合を表わしているが、印刷方法や条件などにより、整然と並んでいない場合や、隣り合う点同士が重なっている場合もある。この点９の大きさや数によって、色の濃さを変えることもできる。
【００２６】
点９において、円形であれば直径、菱形であれば対角線の長さ、その他の多角形であれば２頂点を結んだ最大線分を、点の最大長と表現すると、点９の最大長は０．０１ｍｍ以上１．０ｍｍ以下であることが好ましい。現状の印刷方法では、０．０１ｍｍより小さくすることは難しく、１．０ｍｍより大きいと言葉の判読を不能にするパターンとならない場合があるからである。
【００２７】
粘着層６は、隠蔽層４上に印刷層５を形成した後に液状の粘着層インキによって形成される。液状の粘着層インキを用いて、一般的なコーターなどで塗布乾燥させて、粘着層６は形成される。液状の粘着層インキは、一般に粘着剤として扱われているアクリル系、ロジン系、ゴム系、ビニルエーテル系、ポリイソブチレン系などの樹脂を用いることができる。必要であれば、充填剤、接着性調整剤、老化防止剤等を配合してもよい。
【００２８】
粘着層６の厚さは、充分な粘着特性を出すために１μｍ以上２０μｍ以下が好ましい。厚さが小さいと、充分な粘着特性が出せない。厚さが大きいと、転写したときに厚くなってしまい、見た目が悪くなってしまう。
【００２９】
印刷層５の印刷部分７は、点を印刷する方法を用いており、図２のように印刷された点９と、点印刷のない空隙１０から形成されている。その後、液状の粘着層インキによって粘着層６の厚さが印刷層５の印刷部分７の厚さよりも大きく形成する。すると、空隙１０にも液状の粘着層インキが入り込んで、空隙１０は粘着層６となる。
【００３０】
粘着層６の厚さが印刷層５の印刷部分７の厚さよりも小さい場合、空隙１０に液状の粘着層インキが入り込むことはできても、印刷層５の印刷部分７より小さい厚さの粘着層６しか形成することができず、粘着層６よりも印刷部分７が出ていることになり、うまく感圧転写することができなくなる。
【００３１】
このようにして、基材２から順に、隠蔽層４、印刷層５、粘着層６が形成されている修正塗膜３を有しているものを、一定のテープ幅に裁断して、コアなどへ巻きつけて小巻にして、塗膜転写具に装填する。一定のテープ幅としては、３ｍｍ〜１２ｍｍの間であるのが一般的であるが、これ以外の幅である場合もある。
【００３２】
この感圧転写テープ１を塗膜転写具に装填して、転写塗膜を被転写体の文字上に感圧転写する。修正テープであるので、転写塗膜を通して、文字のある表面から転写した文字を見ることはできない。その被転写体の表面から光に照らして反対の裏面から見ても、転写塗膜に形成した印刷層５のパターンによって、文字からなる言葉を判読することはできない。
【００３３】
ここで判読不能とは、言葉を判読することができないことである。１文字からなる言葉でも判読することができないことが望ましいが、２文字以上からなる言葉が判読することができなければ良い。つまり、１文字だけは読めても、言葉として何であるのか判らなければ良い。
【００３４】
図３は、塗膜転写具１１の説明図である。塗膜転写具１１としては、ユニオンケミカー株式会社製「修正テープ消シマウスＨＧ」を例にしている。図は、塗膜転写具１１のケース１２内部における主要部材を表しており、ケース１２を透明として、その内部構成を表している。ただし、ケース１２の厚みが見える部分は、斜線断面で表している。
【００３５】
この図は、転写ヘッド１３にて被転写面１４に転写塗膜１５を転写している様子である。この塗膜転写具１１は、貫通部１６と調整窓１７を有するものである。
【００３６】
塗膜転写具の種類によっては、外観意匠の違いはもとより、内部構成において、リールの回転方向や配置、連動機構などに違いが見られるが、基本的にはこれと同じような主要部材からなる構成である。
【００３７】
転写ヘッド１３は側壁１８を有するものである。側壁１８は、基材テープ１９表面に転写塗膜１５を形成している転写テープ２０が転写ヘッド１３の先端にて転写塗膜１５を感圧転写できるように導くものである。
【００３８】
この転写テープ２０が、繰出しリール２１から転写ヘッド１３を介して巻取りリール２２に巻回されて、繰出しリール２１と巻取りリール２２の連動機構と共に、ケース１２に配置されている内部構成である。
【００３９】
ここでの連動機構はギアであり、図３では見えていない図３の裏面にて、繰出しリール２１の繰出しギア２９が巻取りリール２２の巻取りギアと噛合している。この連動機構によって、自動巻取り式となる。
【００４０】
ケース１２の外枠以外でケース１２に関係する主要な部分として、次の５箇所を表している。繰出しリール２１の支軸となる円筒形断面の繰出しリール中心軸２３、巻取りリール２２の支軸となる円筒形断面の巻取りリール中心軸２４、繰出しリール２１から繰り出された転写テープ２０を転写ヘッド１３に導いている円柱形断面の繰出しテープガイド２５、転写ヘッド１３から転写塗膜１５を転写した基材テープ１９を巻取りリール２２に導いている円柱形断面の巻取りテープガイド２６、転写ヘッド１３を支持している円筒形断面の転写ヘッド支持部２７である。
【００４１】
繰出しリール２１は、円筒形断面の繰出しリール中心軸２３に直接接してはおらず、その間にある中間部材２８の４箇所と図３のように接している。中間部材２８は、繰出しリール２１の繰出しギア２９に接続されている。そのため図では、繰出しリール２１の繰出しギア２９と中間部材２８を、同じ網模様で表している。
【００４２】
中間部材２８の４箇所で接することにより、連動機構と逆回転防止機構との間でタイミングが合わなくなるなど、何かしらの強い力で転写テープ２０が引っ張られることがあると、繰出しリール２１が接している中間部材２８の４箇所ですべるようになっている。これで、余計な引出しによるたるみやテープの破断などの不具合を防ぐことができる。
【００４３】
巻取りリール２２は、円筒形断面の巻取りリール中心軸２４に直接接して、回動自在になっているが、図３の背面にて、繰出しリール２１の繰出しギア２９が巻取りリール２２の巻取りギアと噛合しているので、巻取りリール２２は、繰出しリール２１の回転に連動することになる。
【００４４】
また図３において、巻取りリール２２の側面には波形溝３０がある。波形溝３０は、図の垂直方向手前に立ち上がる垂直面とそこから斜めに下がる斜面からなる三角波形状であり、円形扇のように形成している。図では、その波形溝３０の垂直面を外円周へ向かう直線で表している。この波形溝３０は、調整窓１７からテープがたるんだりしたときに直すために利用する溝である。
【００４５】
リールおよびリール中心軸周辺の構造の特徴として、リール中心軸に接しているリール円筒部（繰出しリール２１では図３のギアの中心にある円筒部）から４本の短いスポークを有する構造にしている。
【００４６】
繰出しリール２１と巻取りリール２２の連動機構における逆回転防止機構は、いわゆるラチェットのような構造のものである。これらは図３の背面およびその部分のケース１２にあり、図では省略している。
【００４７】
転写ヘッド１３は、ケース１２外に突設されており、ケース１２内に向かって、太い支軸と細い支軸からなり、細い支軸の端に図面垂直方向に対して円柱形状のものを有している。その円柱が、円筒形断面の転写ヘッド支持部２７によって、支持されている。なお、図における転写ヘッド１３は、点を施して表している。
【００４８】
転写塗膜１５を被転写面１４に転写させる塗膜転写具１１の使用方法は、ケース１２外に突設された転写ヘッド１３にて転写テープ２０を押圧して、被転写面１４において転写塗膜１５を転写させたい部分に接触させながら、塗膜転写具１１を被転写面１４に対して斜めに傾けて移動させる方法である。
【００４９】
このように移動させることで、テープが走行して、転写テープ２０が繰り出されて繰出しリール２１が回り、繰出しリール２１の繰出しギア２９も回り、噛合している巻取りリール２２のギアによって、巻取りリール２２が回る。これらギア比とリール径比を調整して、基材テープ１９が巻き取られるようになっている。こうして自動巻取りされることになる。なお、この調整のためにも、巻取りリール２２のスポーク構造が有効である。
【００５０】
このような内部構成からなる塗膜転写具１１なので、通常の使用ではテープがたるむことなどは起こらないが、何かしらのタイミングのずれによってたるんだ時には、巻取りリール２２の波形溝３０によって調整窓１７から巻き締めることができる。
【実施例】
【００５１】
基材２として両面剥離処理された厚さ１２μｍのＰＥＴフィルム上に、隠蔽層インキを、次の配合比率でトルエン溶液中にて分散機を用いて均一に混合して作製して、このインキを用いてリバースロールコーターで塗布乾燥後の厚さが２０μｍになるように、隠蔽層４を形成した。
【００５２】
隠蔽層インキの配合比率は、白色顔料として酸化チタン（タイピュアＲ９３１「デュポン株式会社製」）と充填剤としてシリカ（ガジルシリカ２００ＤＦ「ＩＮＥＯＳ  Ｓｉｌｉｃａｓ社製」）を合わせて固形分で８０重量％、ビヒクルとしてスチレン・ブタジエンブロックコポリマー（アサフレックス８０５「旭化成ケミカルズ株式会社製」）とスチレン・ブタジエン・スチレンブロックコポリマー（クレイトン１１０１ＪＳ「クレイトンポリマー社製」）を合わせて固形分で１８重量％、分散剤として特殊高分子界面活性剤（ホモゲノールＬ−１８「花王株式会社製」）を固形分で２重量％である。これより顔料比率は８０％である。
【００５３】
この隠蔽層４上に印刷層５を、グラビア印刷方法を用いて形成した。グラビア印刷用インキ（大阪印刷インキ製造（株）製ＶＳ−ＳＡＮＳ黒色１００％）を用いて、印刷層５の印刷部分７を厚さ１μｍになるように印刷し、形成した。
【００５４】
その後に、液状の粘着層インキとしてアクリル系粘着剤（ニカゾールＴＳ−１５２３「日本カーバイド工業株式会社製」）を用いて、リバースロールコーターで塗布乾燥後の厚さが３μｍになるように、粘着層６を形成した。
【００５５】
これを、幅５ｍｍ、長さ１０ｍのテープ状の裁断し、コアに小巻にして、塗膜転写具（ユニオンケミカー株式会社製「修正テープ消シマウスＨＧ」）に装填した。
【００５６】
印刷層５はパターンからなり、そのパターンは正方形を含む長方形からなる単位画像とその反転画像とから構成されている。
【００５７】
図４は、その単位画像とその反転画像の説明図である。図４（ａ）が実施例１、図４（ｂ）が実施例２、図４（ｃ）が実施例３、図４（ｄ）が実施例４である。図の左側が単位画像で、右側がその反転画像である。単位画像は長方形である。長方形には正方形を含む。なお、図４において境界を破線で示しており、画像は破線を含まない破線の内部である。
【００５８】
図４（ａ）の実施例１の単位画像は、「？」という記号１文字を画像にしたものである。図４（ｂ）の実施例２の単位画像は、「ん」というひらがな１文字を画像にしたものである。図４（ｃ）の実施例３の単位画像は、「読」という漢字１文字を画像にしたものである。図４（ｄ）の実施例４の単位画像は、直角三角形の４個を風車状に配置したものをさらに４個配置して画像にしたものである。
【００５９】
これらのように、単位画像は、記号を含む文字の１字からなるもの、または模様からなるもの、もしくは、これらの組合せからなるものである。
【００６０】
図５は、実施例１から４までのパターンの説明図である。図４のそれぞれの単位画像とその反転画像とから構成され、周期的に繰り返しているパターンであり、テープ幅に切断したものである。図５（ａ）が実施例１、図５（ｂ）が実施例２、図５（ｃ）が実施例３、図５（ｄ）が実施例４である。
【００６１】
図においては便宜上、テープ幅方向の境界およびテープ長尺方向の境界ともに線（境界線）で表しているが、実際のものにはこのような線があるわけではなく、切断による境界があるだけである。また、図が幅５ｍｍ、長さ１０ｍのテープ状を縮小したものではなく、長さ１０ｍのテープ長尺方向では、その一部を表しているに過ぎない。
【００６２】
図５では、単位画像の上下左右にその反転画像を配置して、同様に、反転画像の上下左右にその元の単位画像を配置して、これらのようにひとつおきに単位画像とその反転画像を配置した左右方向をテープ長尺方向に一致させ、そこから右回り（時計の回転方向）に２０度傾けて、周期的に繰り返しているものとしたパターンである。
【００６３】
これらのように画像を配置した左右方向をテープ長尺方向に一致させると、単位画像とその反転画像とが繰り返されることで、隠蔽する文字よりも、これらが画像の方に読む意識が流れやすくなり、判読を難しくしているものと考えている。
【００６４】
より判読不能にするために、右回り（時計の回転方向）に２０度傾けている。この傾きは１０度から３０度が好ましい。これは、パターンが１０度から３０度の角度で傾いていることで、隠蔽する文字からなる言葉との傾きのずれを生じさせて、パターンの角度方向へ読む意識がより流れやすくなり、判読を難しくすることができるからである。この間の角度である場合が、その効果が大きい。
【００６５】
なお図５において、テープ長尺方向（図の左右方向）のある範囲に区切って見た場合に、周期的な繰り返しは、図５の範囲においては表れてこない。図の左右方向にもっと長い範囲において表れてくるものである。このこともまた、１０度から３０度の角度で傾けた効果であり、周期的な繰り返しがわかりにくいことが、判読を難しくすることにもつながっていると考えている。
【００６６】
図４の（ｄ）のような模様ではなく、図４の（ａ）〜（ｃ）にあるような記号を含む文字の１字からなる単位画像である方がさらに好ましい。このような画像である方が、単位画像とその反転画像とにおいて強弱が付いて、読む意識がこのパターンの方へ流れやすくなるからである。
【００６７】
図５の実施例１から４においては、単位画像とその反転画像の境界において境界線を有していないものである。実施例５から８はそれぞれ、実施例１から４までの単位画像とその反転画像の境界において境界線を有しているものである。
【００６８】
図６は、境界線を有した場合の説明図である。境界線を有して単位画像とその反転画像とから構成された４つの画像からなる部分を抽出したものである。図７は、実施例５から８までのパターンの説明図である。図５と同様に、周期的に繰り返しているものとしたパターンである。図７（ｅ）が実施例５、図７（ｆ）が実施例６、図７（ｇ）が実施例７、図７（ｈ）が実施例８である。
【００６９】
これらの実施例のように、単位画像とその反転画像の境界において境界線を有していないものでも、もしくは、境界線を有しているものであってもよい。
【００７０】
被転写体となる用紙にレーザプリンタで出力した１１ポイントの文字の文章に、各実施例の転写塗膜を感圧転写して観察を行なった。
【００７１】
すべての実施例において、出力した文字を完全に隠蔽することができており、その修正塗膜の上に水性インクでも滲まずに筆記することができた。修正塗膜の表面から隠蔽層を通して印刷層が透けて見えることはなかった。転写直後、及び１週間経過後でも、転写不良は起こっていなかった。そして、被転写体の表面から光に照らして反対の裏面から見ても、転写塗膜に形成した印刷層のパターンによって、文字からなる言葉を判読することはできなかった。
【００７２】
印刷層のパターンによって判読不能にできる文字サイズは、コンピュータで通常のプリンタから出力される９から１６ポイントであればよく、特に１０から１２ポイントが好ましい文字サイズである。印刷層のパターンは、これに適したものとなっている。
【符号の説明】
【００７３】
１    感圧転写テープ
２    基材
３    修正塗膜
４    隠蔽層
５    印刷層
６    粘着層
７    印刷部分
８    印刷のない部分
９    点
１０    空隙
１１    塗膜転写具
１２    ケース
１３    転写ヘッド
１４    被転写面
１５    転写塗膜
１６    貫通部
１７    調整窓
１８    側壁
１９    基材テープ
２０    転写テープ
２１    繰出しリール
２２    巻取りリール
２３    繰出しリール中心軸
２４    巻取りリール中心軸
２５    繰出しテープガイド
２６    巻取りテープガイド
２７    転写ヘッド支持部
２８    中間部材
２９    繰出しギア
３０    波形溝
【図１】
2012135995.tif 000003
【図２】
2012135995.tif 000004
【図３】
2012135995.tif 000005
【図４】
2012135995.tif 000006
【図５】
2012135995.tif 000007
【図６】
2012135995.tif 000008
【図７】
2012135995.tif 000009